(57)【要約】【課題】ファイルを書棚に収納して正視した場合に、ファイル背表紙が棚板の前端縁と平行に維持されて、ファイル背表紙に表示されたファイル名称の確認が容易になるようにすること。【解決手段】ファイル表裏表紙への貼着代部１９、２０を左右に有する硬質シート板２の一方の面部３に、ファイル背表紙幅よりも僅少幅の背面部４を介して、対向する４５度の角度を有する各一対の傾斜面部５〜８によって左右対対称に形成された９０度のＶ字形溝部９、１０と、前記一対の傾斜面部にそれぞれ９０度の角度をもって連なる各傾斜面部１１〜１４によって左右対称に形成された９０度の稜線を有する二つの突起山部１５〜１８とを含み、ファイルが閉じられた場合に、これら突起山部１５〜１８の当接により形成される直角二等辺三角形のコーナー部によって前記ファイル背表紙が前記ファイル表表紙及び裏表紙に対して、いずれも９０度未満の角度で折れないように規制される。【選択図】　　　　図２
2004106195.tif 000002
【特許請求の範囲】
【請求項１】
各折り線を介して折り曲げ形成の表裏表紙と背表紙を一体に有する綴じ込みファイルの内側上端縁中央部位及び／又は内側下端縁中央部位に貼着されて、前記ファイルの背表紙が表表紙及び裏表紙に対して、いずれも９０度未満の角度で折れないように規制されるホルダーであって、
前記表裏表紙への貼着代部を左右に有する硬質シート板の一方の面部に、前記ファイルの背表紙幅よりも僅少幅の背面部を介して、対向する４５度の角度を有する各一対の傾斜面部によって左右対称に形成された９０度のＶ字形溝部と、
前記一対の傾斜面部にそれぞれ９０度の角度をもって連なる各傾斜面部によって左右対称に形成された９０度の稜線を有する二つの突起山部とを含み、
前記ファイルが閉じられた場合に、前記左右に形成の対向する一対の傾斜面部がそれぞれ当接して直角二等辺三角形のコーナー部が形成され、該直角二等辺三角形のコーナー部によって前記背表紙が前記表表紙及び裏表紙に対して、いずれも９０度未満の角度で折れないように規制される構成を特徴とする綴じ込みファイルの背表紙に対する表表紙及び裏表紙の折り曲げ角度規制用ホルダー。
【請求項２】
前記硬質シート板における前記背面部の板厚が、前記左右辺の貼着代部の板厚よりも厚く形成されている請求項１の綴じ込みファイルの背表紙に対する表表紙及び裏表紙の折り曲げ角度規制用ホルダー。
【請求項３】
前記硬質シート板の他方の面部における前記左右二つのＶ字形溝部の谷部との対応部位に、折り曲げ溝部が形成されている請求項１または２の綴じ込みファイルの背表紙に対する表表紙及び裏表紙の折り曲げ角度規制用ホルダー。
【請求項４】
前記硬質シート板における左右二つのＶ字形溝部は、それぞれその谷部折り曲げ線の上下端縁の２点箇所で連なり、上下連設箇所の中間谷部折り曲げ線にはスリットが設けられている請求項１または２の綴じ込みファイルの背表紙に対する表表紙及び裏表紙の折り曲げ角度規制用ホルダー。
【請求項５】
前記硬質シート板の他方の面部に、剥離紙の付いた両面接着テープが設けられている請求項１から４のいずれか１項の綴じ込みファイルの背表紙に対する表表紙及び裏表紙の折り曲げ角度規制用ホルダー。
【発明の詳細な説明】
【０００１】
【発明の属する技術分野】
本発明は、書類を着脱自在に綴じて整理保存するタイプのファイルの背表紙に対する表表紙及び裏表紙の折り曲げが９０度未満の角度で折れないように規制して、その背表紙を正視し易くし得るホルダーに関するものである。
【０００２】
【従来の技術】
従来、各折り線を介して折り曲げ形成の表表紙と裏表紙及び背表紙を一体に有する綴じ込みファイルに、綴じ込み具により僅かな枚数の書類を綴じた場合に、背表紙は表表紙、或いは裏表紙のいずれかに対して９０度に満たない角度で折れ、それを書棚へ収納した場合、背表紙は棚板の前端縁と平行にならずに左右の一方が突出し、他方が引込んだ状態になる。
【０００３】
ファイルに綴じられる書類の枚数が増えると、背表紙の表表紙及び裏表紙に対する折れ曲がり角度は、綴じられた書類の厚みによって制約され、常に９０度未満に落ち着き、この時、背表紙は棚板の前端縁と概ね平行になる。
【０００４】
【発明が解決しようとする課題】
ファイルに少量の書類を綴じて背表紙の一方が突出し、他方が引込んだ状態で書棚に収納された場合に、そのファイルを書棚の正面から正視すれば、背表紙が斜めになって、隣のファイルや棚の仕切り板に遮られて、背表紙に表示されたファイルの名称確認が困難である（図９参照）。
【０００５】
そこで、このような不都合を解消するため、本願発明者等は、先に綴じ込み書類が少ないファイルの背表紙正視用ホルダーを発明し、特許出願をした（特開２０００−１２７６６５）。
【０００６】
この特開２０００−１２７６６５に係る発明は、硬質厚紙で上下方向に必要最少限の長さを有するシートと、該シートの一面に、取り付けられるべきファイルの背幅の間隔より僅かに狭い間隔を隔てて、かつ互いに平行に、シートの一面に対して対向する４５度の角度の一対の傾斜面によって形成される断面略Ｖ形に刻設された一対の溝と、それら一対の溝によってシートに形成された、ファイルの表表紙内面への取付部と、背表紙内面への取付部と、裏表紙内面への取付部と、シートの他面に付設された貼付手段とから成り、このホルダーをファイルに貼付することによって、そのファイルの背表紙がその表表紙及び裏表紙に対して、いずれも９０度未満の角度で折れないように構成された綴じ込み書類が少ないファイルの背表紙正視用ホルダーである。
【０００７】
ところで、このホルダーは、略Ｖ形溝を形成している一対の４５度の傾斜面が互いに当接して９０度未満の角度への折り曲げが制限されるものであるから、シート全体の厚みは、傾斜面の端面が当接し、強度性をもって接合するに足る厚さでなければならず、シート全体が薄い場合には、ホルダーとして機能しない。
【０００８】
しかしながら、シート全体の厚みが厚くなると、その厚くなった分だけファイルの綴じ幅（背表紙幅）が狭まり、綴じ込みファイルとしての機能が損なわれるという問題点があった。
【０００９】
本発明は、このような従来の技術が有する問題点に鑑みなされたもので、その目的とするところは、ファイルの綴じ幅を狭めることなく、ファイルに綴じられる書類の枚数が僅かであっても、ファイルを書棚に収納して正視した場合に、ファイルの背表紙が棚板前端縁と平行に維持されて、ファイル背表紙に表示されているファイル名称の確認が容易になし得る綴じ込みファイルの背表紙に対する表表紙及び裏表紙の折り曲げ角度規制用ホルダーを提供することにある。
【００１０】
【課題を解決するための手段】
この目的のため、請求項１に係る発明は、各折り線を介して折り曲げ形成の表裏表紙と背表紙を一体に有する綴じ込みファイルの内側上端縁中央部位及び／又は内側下端縁中央部位に貼着されて、前記ファイルの背表紙が表表紙及び裏表紙に対して、いずれも９０度未満の角度で折れないように規制されるためのホルダーであって、前記表裏表紙への貼着代部を左右に有する硬質シート板の一方の面部に、前記ファイルの背表紙幅よりも僅少幅の背面部を介して、対向する４５度の角度を有する各一対の傾斜面部によって左右対対称に形成された９０度のＶ字形溝部と、前記一対の傾斜面部にそれぞれ９０度の角度をもって連なる各傾斜面部によって左右対称に形成された９０度の稜線を有する二つの突起山部とを含み、前記ファイルが閉じられた場合に、前記左右に形成の対向する一対の傾斜面部がそれぞれ当接して直角二等辺三角形のコーナー部が形成され、該直角二等辺三角形のコーナー部によって前記背表紙が前記表表紙及び裏表紙に対して、いずれも９０度未満の角度で折れないように規制される構成を特徴とするものである。
【００１１】
請求項２に係る発明は、前記硬質シート板における前記背面部の板厚が、前記左右辺の貼着代部の板厚よりも厚く形成されていることを特徴とするものである。
【００１２】
請求項３に係る発明は、前記硬質シート板の他方の面部における前記左右二つのＶ字形溝部の谷部との対応部位に、折り曲げ溝部が形成されていることを特徴とするものである。
【００１３】
請求項４に係る発明は、前記硬質シート板における左右二つのＶ字形溝部は、それぞれその谷部折り曲げ線の上下端縁の２点箇所で連なり、上下連設箇所の中間谷部折り曲げ線にはスリットが設けられていることを特徴とするものである。
【００１４】
請求項５に係る発明は、前記硬質シート板の他方の面部に、剥離紙の付いた両面接着テープが設けられていることを特徴とするものである。
【００１５】
【発明の実施の形態】
本発明に係る綴じ込みファイルの背表紙に対する表表紙及び裏表紙の折り曲げ角度規制用ホルダー（以下、単に「ホルダー」という。）は、各折り線を介して折り曲げ形成の表裏表紙と背表紙を一体に有する綴じ込みファイルの内側上端縁中央部位及び／又は内側下端縁中央部位に貼着されて用いられる。
【００１６】
ホルダーは、主体としての硬質シート板の一方の面部に、ファイルが閉じられた場合（本ホルダーが折り曲げられた場合）において、表表紙と背表紙のコーナー及び裏表紙と背表紙のコーナーに直角二等辺三角形のコーナー部が形成される二つの突起山部がＶ字形溝部を介して形成され、この二つの突起山部が当接して形成される直角二等辺三角形のコーナー部によって、背表紙が表表紙及び裏表紙に対して、いずれも９０度未満の角度で折れないように規制される。
【００１７】
【実施例】
以下、具体的実施例について図面を参照し、その作用と共に説明する。
【００１８】
図１は、本発明に係るホルダー１の一例での展開平面図、図２は、図１の２−２線に沿った断面図で、これら図において、主体としての硬質シート板２は、所定の厚さと幅、長さを有する横長矩形状であって、一例としては硬質紙が用いられる。
【００１９】
硬質シート板２の一方の面部３には、その略中央部位に位置する綴じ込みファイル１００の背表紙１０３の幅よりも僅少幅の背面部４を介してその左右位置に、対向する４５度の角度を有する一対の傾斜面部５、６、７、８によって９０度のＶ字形溝部９、１０が形成されるとともに、傾斜面部５、６、７、８に９０度の角度をもって連なる傾斜面部１１と傾斜面部５、傾斜面部６と傾斜面部１２、傾斜面部１３と傾斜面部７、傾斜面部８と傾斜面部１４によって９０度の稜線を有する各二つの突起山部１５、１６、１７、１８が左右対称に形成され、傾斜面部１１に連なる図中左辺部は、ファイル表表紙１０１への貼着代部１９とされ、傾斜面部１４に連なる図中右辺部は、ファイル裏表紙１０２への貼着代部２０とされている。
【００２０】
硬質シート板２の他方の面部２１における左右二つのＶ字形溝部９、１０の谷部との対応部位には、折り曲げ溝部２２、２３が形成され、Ｖ字形溝部９、１０の谷部折り曲げ箇所２４、２５の折り曲げが容易になし得るようになっている。
【００２１】
また、硬質シート板２の他方の面部２１には、剥離紙２６の付いた両面接着テープ２７が設けられている。
【００２２】
このように構成された本ホルダー１は、その剥離紙２６を剥がし、その両面接着テープ２７をもって図３に示されているように、綴じ込みファイル１００の内側上端縁１０４の中央部位及び／又は内側下端縁１０５の中央部位に貼着される。
【００２３】
この本ホルダー１が貼着される時、Ｖ字形溝部９、１０の谷部折り曲げ箇所２４、２５とファイル１００の内面縦方向の折り線１０６、１０７が重ね合わされるようにして貼着される。
【００２４】
このようにして、背面部４を含む左右の突起山部１６、１７はファイル折り線１０６、１０７間において、突起山部１５を含む貼着代部１９はファイル表表紙１０１において、突起山部１８を含む貼着代部２０はファイル裏表紙１０２においてそれぞれ貼着される。
【００２５】
この本ホルダー１が貼着された図３の状態から、ファイル１００が各縦折れ線１０６、１０７を介して折り曲げ閉じられると、図４及び図５に示されているように、縦折れ線１０６、１０７の折り曲げと一体的に谷部折り曲げ箇所２４、２５が折り曲げられて、Ｖ字形溝部９、１０を形成している各一対の傾斜面部５、６、７、８が当接して、表表紙１０１と背表紙１０３のコーナー及び裏表紙１０２と背表紙１０３のコーナーに直角二等辺三角形のコーナー部が形成され、９０度未満の角度への折り曲げが制限される。
【００２６】
従って、ファイル１００を書棚に収納して正視した場合に、図８に示されているように、背表紙１０３は棚板の前端縁と平行に保持されて、ファイル背表紙１０３に表示のファイル名称１０８を容易に確認することができる。
【００２７】
図６は、他例を示す断面図であって、本例は、硬質シート板２における背面部２８の板厚が、左右の貼着代部１９、２０の板厚よりも厚く形成されて、強度性が高められた構成にあり、他の構成については、図２に示された構成と同じである。
【００２８】
よって、図２と対応する主要部分のみに同一の符号を附し、他は説明と共に省略する。
【００２９】
図７は、更なる他例を示す展開平面図で、本例は、図１及び図２に示された実施例と図６に示された実施例におけるＶ字形溝部９、１０の谷部折り曲げ箇所２４、２５に相当する箇所が、それぞれ上下２点箇所２９、３１、３０、３２で連なり、連設箇所２９、３０間と連設箇所３１、３０間にはスリット３３とスリット３４が設けられ、谷部折り曲げ箇所の折り曲げが更に容易になし得るようになっている構成にあり、他の構成については、図１及び図２と図６に示された構成と同じである。
【００３０】
よって、図１及び図２と図６に対応する主要部分のみに同一の符号を附し、他は説明と共に省略する。
【００３１】
【発明の効果】
しかして、本発明によれば、ファイルの表表紙と背表紙のコーナー及び裏表紙と背表紙のコーナーに直角二等辺三角形のコーナー部が形成されて、ファイル背表紙がその表表紙及び裏表紙に対して、いずれも９０度未満の角度で折れないようになっているから、ファイルに綴じられる書類が僅かであっても、ファイルを書棚に収納して正視した場合に、ファイルの背表紙が棚板の前端縁と平行に維持されて、ファイル背表紙に表示されているファイル名称を容易に確認することができる。
【図面の簡単な説明】
【図１】本発明に係る綴じ込みファイルの背表紙に対する表表紙及び裏表紙の折り曲げ角度規制用ホルダーの一例での展開平面図である。
【図２】図１の２−２線に沿った断面図である。
【図３】本ホルダーのファイル内面への貼着状態を示す一部省略の展開平面図である。
【図４】図３の状態からファイルが閉じられ、本ホルダーによって背表紙に対する表裏表紙の９０度未満折り曲げが規制された状態を示す一部省略の拡大平面図である。
【図５】図４における部分拡大断面図である。
【図６】本発明の他例を示す断面図である。
【図７】本発明の更なる他例を示す展開平面図である。
【図８】本発明を実施したファイルを書棚に並置した状態を示す概略説明図である。
【図９】従来の綴じ込みファイルを書棚に並置した状態を示す概略説明図である。
【符号の説明】
１　　本発明に係るホルダー
２　　硬質シート板
３　　硬質シート板の一方の面部
４、２８　　背面部
５〜８、１１〜１４　　傾斜面部
９、１０　　Ｖ字形溝部
１５〜１８　　突起山部
１９、２０　　貼着代部
２１　　硬質シート板の他方の面部
２２、２３　　谷部折り曲げ箇所
２４、２５　　折り曲げ溝部
２６　　剥離紙
２７　　両面接着テープ
２９〜３２　　連設箇所
３３、３４　　スリット
１００　　綴じ込みファイル
１０１　　表表紙
１０２　　裏表紙
１０３　　背表紙
１０４　　ファイル内側上端縁
１０５　　ファイル内側下端縁
１０６、１０７　　ファイル折り線
【図１】
2004106195.tif 000003
【図２】
2004106195.tif 000004
【図３】
2004106195.tif 000005
【図４】
2004106195.tif 000006
【図５】
2004106195.tif 000007
【図６】
2004106195.tif 000008
【図７】
2004106195.tif 000009
【図８】
2004106195.tif 000010
【図９】
2004106195.tif 000011